(57)【要約】  超音波トランスデューサ（40、70、100）は、個々のダイが結合された集積回路（42、72、102）と、この個々のダイが結合された集積回路にフリップチップバンプのアレイ（46、76、106）を介して結合された音響素子アレイ（44、74、104）とを有する。個々のダイが結合された集積回路は、第１の集積回路ダイ（48、78、108）と、前記第１の集積回路ダイに整列された少なくとも１つの更なる集積回路ダイ（50、80、（110、112））とを含んでいる。また、第１の集積回路ダイと、少なくとも１つの更なる集積回路ダイと、音響素子アレイとは一緒になって大口径のトランスデューサアレイを形成している。
2008509775.tif 000002
【特許請求の範囲】
【請求項１】
第１の集積回路ダイと、前記第１の集積回路ダイに整列された少なくとも１つの更なる集積回路ダイとを含む、個々のダイが結合された集積回路；及び
前記個々のダイが結合された集積回路にフリップチップバンプのアレイを介して結合された音響素子アレイであり、前記第１の集積回路ダイと、前記少なくとも１つの更なる集積回路ダイと、当該音響素子アレイとが一緒になって大口径のトランスデューサアレイを形成している、音響素子アレイ；
を有する超音波トランスデューサ。
【請求項２】
前記第１の集積回路ダイ及び前記少なくとも１つの更なる集積回路ダイの各々が、それぞれの集積回路ダイのフリップチップ搭載面に接合パッドを有し、前記接合パッドが隣接接合パッド間のピッチを有する、請求項１に記載の超音波トランスデューサ。
【請求項３】
前記第１の集積回路ダイの、前記少なくとも１つの更なる集積回路ダイとの整列により、それぞれの第１の集積回路ダイ及び少なくとも１つの更なる集積回路ダイの接合パッド間の前記ピッチの連続性が保持されている、請求項２に記載の超音波トランスデューサ。
【請求項４】
前記個々のダイが結合された集積回路が更に、整列基板に搭載された前記第１の集積回路ダイと前記少なくとも１つの更なる集積回路ダイとを有する、請求項１に記載の超音波トランスデューサ。
【請求項５】
前記第１の集積回路ダイ及び前記少なくとも１つの更なる集積回路ダイが２つの集積回路ダイを有する、請求項４に記載の超音波トランスデューサ。
【請求項６】
前記第１の集積回路ダイ及び前記少なくとも１つの更なる集積回路ダイが３つの集積回路ダイを有する、請求項４に記載の超音波トランスデューサ。
【請求項７】
前記第１の集積回路ダイ及び前記少なくとも１つの更なる集積回路ダイが２つの個片化された個々の集積回路ダイを有する、請求項１に記載の超音波トランスデューサ。
【請求項８】
前記２つの個片化された個々の集積回路ダイが互いに整列され、且つ整列基板に搭載されている、請求項７に記載の超音波トランスデューサ。
【請求項９】
前記第１の集積回路ダイ及び前記少なくとも１つの更なる集積回路ダイが、ウェハ上で互いに整列された２つの個々の集積回路ダイを有する、請求項１に記載の超音波トランスデューサ。
【請求項１０】
前記２つの個々の集積回路ダイが、前記個々のダイが結合された集積回路として、前記ウェハからまとめて個片化されている、請求項９に記載の超音波トランスデューサ。
【請求項１１】
前記ウェハ上の個々のダイの図柄により、隣接ダイ間の前記フリップチップバンプのアレイピッチの連続性が確保されている、請求項１０に記載の超音波トランスデューサ。
【請求項１２】
前記第１の集積回路ダイ及び前記少なくとも１つの更なる集積回路ダイが、ウェハ上で互いに連続して整列された２つの個々の集積回路ダイを有する、請求項１に記載の超音波トランスデューサ。
【請求項１３】
前記３つの個々の集積回路ダイが、前記個々のダイが結合された集積回路として、前記ウェハからまとめて個片化されている、請求項１２に記載の超音波トランスデューサ。
【請求項１４】
前記ウェハ上の個々のダイの図柄により、隣接ダイ間の前記フリップチップバンプのアレイピッチの連続性が確保されている、請求項１３に記載の超音波トランスデューサ。
【請求項１５】
前記個々のダイが結合された集積回路が、ウェハから同時に個片化された２つ以上の個々のダイから成るグループを有する、請求項１に記載の超音波トランスデューサ。
【請求項１６】
前記ウェハ上の個々のダイの図柄により、前記２つ以上の個々のダイから成るグループの隣接ダイ間の前記フリップチップバンプのアレイピッチの連続性が確保されている、請求項１５に記載の超音波トランスデューサ。
【請求項１７】
前記第１の集積回路ダイが更に、その少なくとも１つの側部に沿って配線を有し、前記少なくとも１つの更なる集積回路ダイが更に、その少なくとも１つの側部に沿って配線を有し、前記第１の集積回路ダイ及び前記少なくとも１つの更なる集積回路ダイの隣接し合うダイが、該第１の集積回路ダイ及び該少なくとも１つの更なる集積回路ダイの隣接するダイの隣接する側部に沿った配線の位置で繋ぎ合わされている、請求項１に記載の超音波トランスデューサ。
【請求項１８】
前記第１の集積回路ダイ及び前記少なくとも１つの更なる集積回路ダイが２つの集積回路ダイを有する、請求項１７に記載の超音波トランスデューサ。
【請求項１９】
前記第１の集積回路ダイ及び前記少なくとも１つの更なる集積回路ダイが３つの集積回路ダイを有する、請求項１７に記載の超音波トランスデューサ。
【請求項２０】
２つ以上の個々のダイから成るグループの隣接し合うダイ間で、前記フリップチップバンプのアレイピッチが実質的に一定に保持されている、請求項１７に記載の超音波トランスデューサ。
【請求項２１】
超音波トランスデューサとの使用に適合された超音波画像診断システムであって、前記超音波トランスデューサが：
第１の集積回路ダイと、前記第１の集積回路ダイに整列された少なくとも１つの更なる集積回路ダイとを含む、個々のダイが結合された集積回路；及び
前記個々のダイが結合された集積回路にフリップチップバンプのアレイを介して結合された音響素子アレイであり、前記第１及び第２の集積回路ダイの集積回路と、当該音響素子アレイとが一緒になって大口径のトランスデューサアレイを形成している、音響素子アレイ；
を有する、超音波画像診断システム。
【請求項２２】
第１の集積回路ダイと、前記第１の集積回路ダイに整列された少なくとも１つの更なる集積回路ダイとを含む、個々のダイが結合された集積回路を形成する工程であり、前記個々のダイが結合された集積回路が更に、前記第１の集積回路ダイ及び前記少なくとも１つの更なる集積回路ダイのぞれぞれのダイのフリップチップ搭載面にフリップチップバンプのアレイを有する、形成する工程；及び
前記個々のダイが結合された集積回路に前記フリップチップバンプのアレイを介して音響素子アレイを結合させる工程であり、前記第１の集積回路ダイと、前記少なくとも１つの更なる集積回路ダイと、前記音響素子アレイとが一緒になって大口径のトランスデューサアレイを形成する、結合させる工程；
を有する、超音波トランスデューサの製造方法。
【請求項２３】
前記第１の集積回路ダイの、前記少なくとも１つの更なる集積回路ダイとの整列により、それぞれの第１の集積回路ダイ及び少なくとも１つの更なる集積回路ダイの前記フリップチップバンプ間のピッチの連続性が保持される、請求項２２に記載の製造方法。
【請求項２４】
個々のダイが結合された集積回路を形成する前記工程が更に、前記第１の集積回路ダイ及び前記少なくとも１つの更なる集積回路ダイを整列基板に搭載する工程を有する、請求項２２に記載の製造方法。
【請求項２５】
前記第１の集積回路ダイ及び前記少なくとも１つの更なる集積回路ダイが２つの集積回路ダイを有する、請求項２４に記載の製造方法。
【請求項２６】
前記第１の集積回路ダイ及び前記少なくとも１つの更なる集積回路ダイが３つの集積回路ダイを有する、請求項２４に記載の製造方法。
【請求項２７】
個々のダイが結合された集積回路を形成する前記工程が更に、１枚以上のウェハから前記第１の集積回路ダイ及び前記少なくとも１つの更なる集積回路ダイの個々のダイを個片化する工程を有する、請求項２２に記載の製造方法。
【請求項２８】
前記第１の集積回路ダイ及び前記少なくとも１つの更なる集積回路ダイが２つの個片化された個々の集積回路ダイを有し、当該製造方法が更に：
前記２つの個片化された個々の集積回路ダイを互いに整列させ、且つ整列されたダイを整列基板に搭載する工程；
を有する請求項２７に記載の製造方法。
【請求項２９】
前記第１の集積回路ダイ及び前記少なくとも１つの更なる集積回路ダイが、ウェハ上で互いに整列された２つの個々の集積回路ダイを有する、請求項２２に記載の製造方法。
【請求項３０】
前記２つの個々の集積回路ダイが、前記個々のダイが結合された集積回路として、前記ウェハからまとめて個片化される、請求項２９に記載の製造方法。
【請求項３１】
前記ウェハ上の個々のダイの図柄により、隣接ダイ間の前記フリップチップバンプのアレイピッチの連続性が確保される、請求項３０に記載の製造方法。
【請求項３２】
前記第１の集積回路ダイ及び前記少なくとも１つの更なる集積回路ダイが、ウェハ上で互いに連続して整列された２つの個々の集積回路ダイを有する、請求項２２に記載の製造方法。
【請求項３３】
前記３つの個々の集積回路ダイが、前記個々のダイが結合された集積回路として、前記ウェハからまとめて個片化される、請求項３２に記載の製造方法。
【請求項３４】
前記ウェハ上の個々のダイの図柄により、隣接ダイ間の前記フリップチップバンプのアレイピッチの連続性が確保される、請求項３３に記載の製造方法。
【請求項３５】
前記個々のダイが結合された集積回路が、ウェハから同時に個片化された２つ以上の個々のダイから成るグループを有する、請求項２２に記載の製造方法。
【請求項３６】
前記大口径のトランスデューサアレイを曲げて湾曲リニアアレイを形成する工程を更に有する請求項２２に記載の製造方法。
【発明の詳細な説明】
【技術分野】
【０００１】
本発明は、概して、超音波医療で使用されるトランスデューサアレイに関し、より具体的には、フリップチップ型２次元アレイを実現する方法及び装置に関する。
【背景技術】
【０００２】
超音波医療では、超音波画像診断中に超音波又は音波を送信及び受信するために、一般的に２次元トランスデューサアレイが使用されている。最新の２次元アレイは、一般的に、3000程度のトランスデューサ素子を有する平面アレイを含んでいる。超音波トランスデューサ設計の１つの類型では、アレイの全トランスデューサ素子が集積回路（ＩＣ）の表面に搭載され、導電性バンプを用いたフリップチップ技術によって該表面に個々に電気的に接続される。このＩＣは、例えばビーム形成や信号増幅などのため、素子の電気制御を提供する。
【０００３】
図１は、超音波トランスデューサの典型的な設計の一例を示している。超音波トランスデューサ10は、集積回路14の表面にフリップチップ導電性バンプ16を介して結合された音響素子12の平面アレイを含んでいる。導電性バンプ16と、集積回路14と、音響素子12の平面アレイとの間の領域内は、フリップチップのアンダーフィル材料を有している。トランスデューサ10は更にトランスデューサ基体20及び相互接続ケーブル22を含んでいる。相互接続ケーブル22は、集積回路14と外部ケーブル（図示せず）との間を相互接続するためのものである。集積回路14は相互接続ケーブル22に、技術的に既知の技術を用いてボンディングワイヤ24を介して電気的に結合されている。
【０００４】
図２は、図１の従来の超音波トランスデューサ10にて使用される集積回路チップ14の平面図である。集積回路チップ14はチップの中央に配置されたフリップチップ接続のアレイ16を含んでおり、アレイ16は2500から3000程度の接続を有している。加えて、集積回路チップ14は第１及び第２の複数のＩＣ−コード間接続26及び28を含んでおり、接続26及び28はそれぞれチップ14の第１及び第２の端部（それぞれ、27及び29）に配置されている。第１及び第２のＩＣ−コード間接続の各々は100程度の接続を含み得る。
【０００５】
フリップチップ組立ては、集積回路（ＩＣ）のベアチップを裏返した構成で基板に直接搭載することを可能にする技術である。ＩＣチップはダイとも呼ばれる。フリップチップ組立てにより、ＩＣチップと基板との電気的接続は導電性の“バンプ”を介して達成される。導電性バンプの高さはＩＣチップと基板との距離を定めるものである。従って、フリップチップ技術は、例えば高密度入／出力（Ｉ／Ｏ）数や短い相互接続距離などの多くの利点をもたらす。
【０００６】
集積回路及びフリップチップ技術は、大抵の超音波トランスデューサ用途に適用可能であるが、大きな制約も有している。すなわち、ＩＣ製造技術は小型の部品に限られ、故にＩＣ技術の適用を小型のトランスデューサアレイに制限してしまっている。加えて、現在、より大型のトランスデューサアレイに関する大きい応用基盤が存在している。しかしながら、この応用基盤は現行の集積回路及びフリップチップ技術では容易に対処できるものではない。
【０００７】
大型の集積回路を製造することは難しい問題である。すなわち、大型の集積回路の製造は、製造プロセスにて使用されるレチクルの大きさによって制約されている。換言すれば、ＩＣ全体の回路はレチクルサイズ以内に適合されなければならない。典型的なレチクルサイズは2cm×2cmより小さい。
【発明の開示】
【発明が解決しようとする課題】
【０００８】
本発明は、上記問題を解決した、改善された超音波トランスデューサ、及びその製造方法を提供することを目的とする。
【課題を解決するための手段】
【０００９】
本発明の一実施形態に従った超音波トランスデューサは、個々のダイが結合された集積回路と、この個々のダイが結合された集積回路にフリップチップバンプのアレイを介して結合された音響素子アレイとを有する。個々のダイが結合された集積回路は、第１の集積回路ダイと、前記第１の集積回路ダイに整列された少なくとも１つの更なる集積回路ダイとを含んでいる。また、第１の集積回路ダイと、少なくとも１つの更なる集積回路ダイと、音響素子アレイとは一緒になって大口径のトランスデューサアレイを形成している。さらに、この大口径のトランスデューサアレイは１Ｄ、１.５Ｄ、又は２Ｄのトランスデューサアレイを含み得る。
【発明を実施するための最良の形態】
【００１０】
図面において、似通った参照符号は似通った要素を参照するものとする。また、図は縮尺通りには描かれていない。
【００１１】
集積回路の製造においては、半導体ウェハは一般的に、個々のデバイスに未だ個片化されていない多数の集積回路ダイを含んでいる。各々の集積回路ダイは一般に、特定の集積回路用途の要求に従って所望の機能を果たす回路を含んでいる。例えば、集積回路は超音波信号処理回路を含み得る。また、超音波トランスデューサ用途には、心臓用途、腹部用途、経食道（transesophageal；ＴＥＥ）用途、又はその他の診断若しくは治療用途が含まれる。さらに、トランスデューサアレイの形状は平面状にされることができ、あるいは湾曲したリニアアレイを形成するように曲げられることもできる。
【００１２】
超音波デバイスに関して、簡略化された超音波トランスデューサ構築プロセスシーケンスは以下のステップを含み得る。例えば、プロセスは、例えば特定用途向け集積回路（ＡＳＩＣ）の供給者から、所望の超音波トランスデューサＩＣを含むウェハを得ることから開始する。本発明の一実施形態に従ったウェハバンプ・プロセスがウェハ上で実行される。ウェハにバンプを設けた後、ウェハは標準的な技術を用いて薄化され、個々のダイに分離される。その後、フリップチップ工程が行われる。フリップチップ工程後、ダイシング工程によって、超音波トランスデューサ又はセンサー部品の音響素子が分離される。そして、センサーは特定の超音波トランスデューサＩＣ用途に従ってフレームに取り付けられる。
【００１３】
図３は、本発明の一実施形態に従った大口径（large  aperture）の２次元超音波トランスデューサアレイを製造するのに使用される、ウェハ32上の複数の集積回路チップ30を示す平面図である。ウェハ32の個々の集積回路チップ30は、参照符号34で指し示されるダイシングラインに沿って個片化される。図４は、本発明の一実施形態に従って図３の集積回路チップ30を使用して大口径の２次元超音波トランスデューサアレイを形成するときの超音波トランスデューサ40の一部を示す平面図である。
【００１４】
一実施形態において、超音波トランスデューサ40は、個々のダイが結合された集積回路42と、この個々のダイが結合された集積回路にフリップチップバンプのアレイ（参照符号46によっておおまかに示されている）及び好適なアンダーフィル材料（図示せず）を介して結合された音響素子のアレイ（参照符号44によっておおまかに示されている）とを有している。個々のダイが結合された集積回路42は第１の集積回路ダイ48と、それに整列された少なくとも１つの更なる集積回路ダイ50とを含んでいる。さらに、集積回路ダイ48、少なくとも１つの更なる集積回路ダイ50、及び音響素子アレイ44は一緒になって大口径２次元トランスデューサ40を形成している。
【００１５】
他の一実施形態においては、第１の集積回路ダイ48及び少なくとも１つの更なる集積回路ダイ50の各々は、それぞれの集積回路ダイのフリップチップ搭載面に接合パッドのアレイ（それぞれ、参照符号49及び51によっておおまかに示されている）を有している。接合パッド群は隣接する接合パッド間のピッチを有している。第１の集積回路ダイの少なくとも１つの更なる集積回路ダイとの整列により、それぞれの第１の集積回路ダイ及び少なくとも１つの更なる集積回路ダイの接合パッド間のピッチの連続性が保持されている。
【００１６】
個々のダイが結合された集積回路42では更に、第１の集積回路ダイ48と少なくとも１つの更なる集積回路ダイ50とが整列基板56上に搭載されている。一実施形態において、第１の集積回路ダイ及び少なくとも１つの更なる集積回路ダイは２つの集積回路ダイを有する。他の一実施形態においては、第１の集積回路ダイ及び少なくとも１つの更なる集積回路ダイは３つの集積回路ダイを有する。また、第１の集積回路ダイ及び少なくとも１つの更なる集積回路ダイは２つの個片化された個々の集積回路ダイを有してもよく、この場合、２つの個片化された個々の集積回路ダイは互いに整列され、整列基板上に搭載される。
【００１７】
図５は、本発明の他の一実施形態に従った大口径の２次元超音波トランスデューサアレイを製造するのに使用される、ウェハ62上の複数の集積回路チップ60を示す平面図である。ウェハ62の集積回路チップ60の所望の１つが、参照符号64で指し示されるダイシングラインに沿って個片化される。図６は、本発明の他の一実施形態に従って図５の集積回路60を使用して大口径の２次元超音波トランスデューサアレイを形成するときの超音波トランスデューサ70の一部を示す平面図である。超音波トランスデューサ70は、個々のダイが結合された集積回路72と、この個々のダイが結合された集積回路にフリップチップバンプのアレイ（参照符号76によっておおまかに示されている）及び好適なアンダーフィル材料（図示せず）を介して結合された音響素子のアレイ（参照符号74によっておおまかに示されている）とを有している。個々のダイが結合された集積回路72は第１の集積回路ダイ78と、それに整列された少なくとも１つの更なる集積回路ダイ80とを含んでいる。すなわち、第１の集積回路ダイ78及び少なくとも１つの更なる集積回路ダイ80は、ウェハ62上で互いに整列された２つの個々の集積回路ダイ60を有する。この場合、２つの個々の集積回路ダイ60はダイシングライン64に沿って、個々のダイが結合された集積回路72としてウェハ62からまとめて個片化される。さらに、特定の超音波トランスデューサ用途の設計部分において、ウェハ上の個々のダイの図柄（artwork）によって、隣接ダイ間のフリップチップバンプ（それぞれ、参照符号79及び81によっておおまかに示されている）のアレイピッチの連続性が確保される。
【００１８】
図７は、本発明の更に他の一実施形態に従った大口径の２次元超音波トランスデューサアレイを製造するのに使用される、ウェハ92上の複数の集積回路チップ90を示す平面図である。ウェハ92の集積回路チップ90の所望の１つが、参照符号94で指し示されるダイシングラインに沿って個片化される。図８は、本発明の更に他の一実施形態に従って図７の集積回路90を使用して大口径の２次元超音波トランスデューサアレイを形成するときの超音波トランスデューサ100の一部を示す平面図である。超音波トランスデューサ100は、個々のダイが結合された集積回路102と、この個々のダイが結合された集積回路にフリップチップバンプのアレイ（参照符号106によっておおまかに示されている）及び好適なアンダーフィル材料（図示せず）を介して結合された音響素子のアレイ（参照符号104によっておおまかに示されている）とを有している。個々のダイが結合された集積回路102は、ウェハ92上で互いに連続的に整列された３つの個々の集積回路ダイ90を有している。３つの個々の集積回路ダイ90（図８のダイ108、110、112に対応している）は、個々のダイが結合された集積回路102としてウェハ92からまとめて個片化される。さらに、特定の超音波トランスデューサ用途の設計部分において、ウェハ上の個々のダイの図柄によって、隣接ダイ間のフリップチップバンプ（それぞれ、参照符号109、111、及び113によっておおまかに示されている）のアレイピッチの連続性が確保される。
【００１９】
更に他の実施形態においては、個々のダイが結合された集積回路は更に、ウェハから同時に個片化された２つ以上の個々のダイから成るグループを有する。ウェハ上での個々のダイの図柄により、２つ以上の個々のダイから成るグループの隣接ダイ間で、フリップチップバンプのアレイピッチの連続性が確保される。さらに、フリップチップバンプのアレイピッチは２つ以上の個々のダイから成るグループの隣接ダイ間で実質的に一定に保たれる。
【００２０】
図９は、本発明の他の一実施形態に従って大口径の２次元超音波トランスデューサアレイを形成するときの超音波トランスデューサ120の一部を示す平面図である。第１の集積回路ダイ及び少なくとも１つの更なる集積回路ダイは２つ以上の集積回路ダイ（参照符号132、134、及び136によっておおまかに示されている）を有し得る。この更なる実施形態においては、第１の集積回路ダイ132は、その少なくとも１つの側部に沿って配線（trace）138を有している。さらに、少なくとも１つの更なる集積回路ダイ134は、その少なくとも１つの側部に沿って配線142を有している。第１の集積回路ダイ及び少なくとも１つの更なる集積回路ダイの隣接し合うダイが、それらの隣接する側部に沿った配線の位置で繋ぎ合わされる。
【００２１】
図９は、本発明の一実施形態に従った超音波トランスデューサを具備する超音波画像診断システム140のブロック図を例示している。超音波画像診断システム140は、超音波トランスデューサプローブ144との使用に適合されたベースユニット142を有している。超音波トランスデューサプローブ144はここで説明されるような超音波トランスデューサ40を有している。ベースユニット142は、特定の超音波診断用途の要求に従って超音波診断イメージングを行うのに適した電子装置を有している。超音波トランスデューサプローブ144は、例えば電子ケーブル、無線接続、又はその他の好適手段などの好適な接続を介してベースユニット142に結合している。超音波画像診断システム140は様々な種類の医療診断超音波イメージングを実行するために使用され得る。さらに、プローブ144の超音波トランスデューサはまた、ここで説明されたトランスデューサ70、100、130を含んでいる。
【００２２】
従って、超音波トランスデューサ40と使用されるように適合された超音波画像診断システムは、個々のダイが結合された集積回路と、この個々のダイが結合された集積回路にフリップチップバンプのアレイを介して結合された音響素子アレイとを有する。個々のダイが結合された集積回路は第１の集積回路ダイと、それに整列された少なくとも１つの更なる集積回路ダイとを含む。さらに、第１の集積回路ダイと第２の集積回路ダイとの集積回路、及び音響素子アレイは一緒になって大口径の２次元トランスデューサアレイを形成する。
【００２３】
超音波トランスデューサの製造方法は、個々のダイが結合された集積回路を形成することと、この個々のダイが結合された集積回路にフリップチップバンプのアレイを介して音響素子アレイを結合させることとを有する。個々のダイが結合された集積回路は第１の集積回路ダイと、それに整列された少なくとも１つの更なる集積回路ダイとを含む。個々のダイが結合された集積回路は更に、第１の集積回路ダイ及び少なくとも１つの更なる集積回路ダイのそれぞれのダイのフリップチップ搭載面にフリップチップバンプのアレイを含む。さらに、第１の集積回路ダイ、少なくとも１つの更なる集積回路ダイ、及び音響素子アレイは一緒になって大口径の２次元トランスデューサアレイを形成する。
【００２４】
他の一実施形態においては、製造方法は更に、第１の集積回路ダイを少なくとも１つの更なる集積回路ダイに整列させ、それぞれの第１の集積回路ダイ及び少なくとも１つの更なる集積回路ダイのフリップチップバンプ間のピッチの連続性を保持することを含む。この製造方法は更に、第１の集積回路ダイ及び少なくとも１つの更なる集積回路ダイを整列基板に搭載することによって、個々のダイが結合された集積回路を形成することを含む。
【００２５】
他の一実施形態においては、製造方法は、１つ又は複数のウェハから第１の集積回路ダイ及び少なくとも１つの更なる集積回路ダイの個々のダイを個片化することによって、個々のダイが結合された集積回路を形成することを含む。一例において、第１の集積回路ダイ及び少なくとも１つの更なる集積回路ダイは２つの個片化された個々の集積回路ダイを有し、このとき、この製造方法は更に２つの個片化された個々の集積回路ダイを互いに整列させることと、整列されたダイを整列基板に搭載することとを有する。
【００２６】
他の一実施形態においては、個々のダイが結合された集積回路はウェハから同時に個片化された２つ以上の個々のダイから成るグループを有する。例えば、第１の集積回路ダイ及び少なくとも１つの更なる集積回路ダイは、ウェハ上で互いに整列された２つの個々の集積回路ダイを有し得る。さらに、２つの個々の集積回路ダイは個々のダイが結合された集積回路としてウェハからまとめて個片化される。他の一例において、第１の集積回路ダイ及び少なくとも１つの更なる集積回路ダイは、ウェハ上で互いに連続的に整列された３つの個々の集積回路ダイを有し得る。この場合、３つの個々の集積回路ダイは個々のダイが結合された集積回路としてウェハからまとめて個片化される。さらに、ウェハ上の個々のダイの図柄によって、隣接ダイ間のフリップチップバンプのアレイピッチの連続性が確保される。
【００２７】
従って、本発明の実施形態は、およそ2cm×2cmより大きい大型アレイに２次元フリップチップ技術を使用する道を提供するものである。大型ＩＣを実現するアレイ製造プロセスの一実施形態において、２つ以上の個々のＩＣが位置付けられ、整列され、そして平坦な基板に搭載される。個々のダイを整列させることは、隣接ダイのパッド間のピッチの連続性を保持することを含む。整列されて搭載された後は、フリップチップの通常のプロセスが実行され得る。
【００２８】
本発明の他の一実施形態においては、ウェハでの個々のダイの図柄が、隣接し合うダイのアレイピッチの連続性を確保するように構成される。ウェハのダイ分離プロセスにて、２つ以上のダイのグループがまとめて個片化される。大型のＩＣを使用する典型的な用途には、大設置面積腹部アレイ、リニアトランスデューサ、及び大型の湾曲リニアアレイ（Curved  Linear  Array；ＣＬＡ）が含まれる。
【００２９】
ここに開示されるように、大きいＩＣサイズのトランスデューサアレイを製造する１つの方策は、多数の小型ダイを互いの隣にタイルのように設置することである。さらに、任意の数の隣接ダイを接続することによって大型のダイを作り出すために、繋ぎ合わせ技術が使用され得る。多数の隣接ダイを接続することは、ステップアンドリピートのマスク生成プロセスにおいてダイが重なり合うことを意図的に許す注意深いダイ設計によって達成される。上記繋ぎ合わせ技術の利点には、コード接続に必要な接続数を、この繋ぎ合わせ技術がない場合に必要とされる数より削減することへの要求が含まれる。
【００３０】
典型的なダイの大きさは縦15mm、横20mm程度である。本発明の実施形態により、２つのダイを並べて用いてリニアアレイが形成され、15mm×40mmが作り出される。15mm×60mmの湾曲リニアアレイは、様々な実施形態に関してここで説明されたように、３つのダイを用いて形成され得る。
【００３１】
ほんの数個の典型的な実施形態について詳細に説明してきたが、当業者が容易に認識するであろうように、ここで開示された実施形態の新規の教示及び利点を有意に逸脱することなく、これらの典型的な実施形態に多数の変更を為すことが可能である。例えば、ここで開示されたアレイ構成は湾曲リニアアレイ（ＣＬＡ）の１つ又は複数の形式を含むように変更され得る。湾曲リニアアレイは、その所望の曲率を形成するように組立体を曲げることによって形成され得る。さらに、ここで開示された実施形態は大口径の２次元アレイのみに限定されるものではなく、大口径の１Ｄ及び１.５Ｄアレイにも実施され得るものである。１Ｄアレイは１行のトランスデューサ素子を含むものである。１.５Ｄアレイは幾つかの行のトランスデューサ素子を含み、行間ピッチが行内ピッチよりも大きいものである。従って、このような変更の全ては、請求項にて定められるような、ここで開示された実施形態の範囲内に含まれるものである。
【図面の簡単な説明】
【００３２】
【図１】従来の超音波センサーを示す図である。
【図２】図１に示された従来の超音波センサーに使用される集積回路チップを示す平面図である。
【図３】本発明の一実施形態に従った大口径の２次元超音波トランスデューサアレイを製造するのに使用される、ウェハ上の複数の集積回路チップを示す平面図である。
【図４】本発明の一実施形態に従って図３の集積回路を使用して大口径の２次元超音波トランスデューサアレイを形成するときの超音波トランスデューサの一部を示す平面図である。
【図５】本発明の他の一実施形態に従った大口径の２次元超音波トランスデューサアレイを製造するのに使用される、ウェハ上の複数の集積回路チップを示す平面図である。
【図６】本発明の他の一実施形態に従って図５の集積回路を使用して大口径の２次元超音波トランスデューサアレイを形成するときの超音波トランスデューサの一部を示す平面図である。
【図７】本発明の更に他の一実施形態に従った大口径の２次元超音波トランスデューサアレイを製造するのに使用される、ウェハ上の複数の集積回路チップを示す平面図である。
【図８】本発明の更に他の一実施形態に従って図７の集積回路を使用して大口径の２次元超音波トランスデューサアレイを形成するときの超音波トランスデューサの一部を示す平面図である。
【図９】本発明の他の一実施形態に従って大口径の２次元超音波トランスデューサアレイを形成するときの超音波トランスデューサの一部を示す平面図である。
【図１０】本発明の一実施形態に従った超音波トランスデューサを具備する超音波画像診断システムを示すブロック図である。
【図１】
2008509775.tif 000003
【図２】
2008509775.tif 000004
【図３】
2008509775.tif 000005
【図４】
2008509775.tif 000006
【図５】
2008509775.tif 000007
【図６】
2008509775.tif 000008
【図７】
2008509775.tif 000009
【図８】
2008509775.tif 000010
【図９】
2008509775.tif 000011
【図１０】
2008509775.tif 000012
【国際調査報告】
2008509775.tif 000013
2008509775.tif 000014